(57)【要約】【課題】本発明は加湿機能のあるＵＳＢ卓上扇風機を開示した。【解決手段】本発明は加湿機能のあるＵＳＢ卓上扇風機を開示し、扇風機及び前記扇風機の下方に連結設置されている台座を含み、前記扇風機の中には動力チャンバが設置されており、本発明の設備は同一動力源を利用して前記扇風機を回転連動させる同時に前記扇風機を首振りさせ、同時に前記加湿装置を連動させて空気を加湿する同時に上下に振れさせ、設備が生じる風力の範囲を拡大し、同時に設備の加湿効果を更にはっきりさせ、設備は加湿機能と風吹き機能を合わせ、温度を下げる効果を高めるだけではなく、加湿効率を高め、機能性が強く、高い使用と普及する価値がある。【選択図】図１
2020180613.tif 000002
【特許請求の範囲】
【請求項１】
正面視で、扇風機及び前記扇風機の下方に連結設置されている台座を含み、前記扇風機の中には動力チャンバが設置されており、前記動力チャンバの左側端壁の中には左に開口した扇風機チャンバが設置されており、前記動力チャンバの右側端壁の中にはモーターが固定的に設置されており、前記モーターの出力軸のうち左へ伸びている末端には第一歯車が固定的に設置されており、前記動力チャンバの右側端壁の中にはカムチャンバが設置されており、前記カムチャンバの上下端壁の中には活塞チャンバが対称的に設置されており、前記活塞チャンバと前記扇風機チャンバとの間には連通管が連通して設置されており、前記扇風機チャンバの中の前記連通管の末端には噴霧スプレーが固定的に連結されており、前記活塞チャンバの中には加湿装置が設置されており、前記扇風機の右側端壁には右へ伸びている凸ブロックが固定的に設置されており、前記凸ブロックには首振り装置が設置されており、前記台座の中には貯水チャンバが設置されており、前記台座の上方には前記台座とヒンジで連結されるヒンジ連結座が設置されており、前記ヒンジ連結座の中には伝動チャンバが設置されており、前駆伝動チャンバの頂壁の中には前記扇風機の底壁と固定的に連結されている第一回転軸が回転できるように設置されており、前記伝動チャンバの頂壁の中の前記第一回転軸の末端には第一傘歯車が固定的に設置されており、前記ヒンジ連結座の底壁の中には前記伝動チャンバの左側に位置するスライドチャンバが上に開口して設置されており、前記スライドチャンバの中には揺動装置が設置されていることを特徴とする加湿機能のあるＵＳＢ卓上扇風機。
【請求項２】
前記首振り装置には前記扇風機チャンバの一側端壁の中に回転できるように設置され且つ前記動力チャンバ及び前記カムチャンバを貫通する第二回転軸が含まれ、前記扇風機の中の前記第二回転軸の末端には羽根が固定的に設置されており、前記動力チャンバの中の前記第二回転軸の外表面には前記第一歯車と噛み合う第二歯車が固定的に設置されており、前記カムチャンバの中の前記第二回転軸の外表面にはカムが固定的に設置されており、前記第二回転軸の右側の末端が前記扇風機を貫通して前記扇風機の外に伸び出ており、且つ前記第二回転軸の右側の末端には第二傘歯車が固定的に設置されており、前記凸ブロックの中には上下に伸びている第三回転軸が設置されており、前記第三回転軸の頂部の末端には前記第二傘歯車と噛み合う第三傘歯車が固定的に設置されており、前記第三回転軸の底部の末端には回転盤が固定的に設置されており、前記ヒンジ連結座の頂壁には位置制限棒が固定的に設置されており、前記位置制限棒の中には上下に貫通した長い穴が設置されており、前記長い穴の中には前記回転盤の底壁と固定的に連結されている位置制限ブロックがスライドできるように設置されていることを特徴とする請求項１に記載の加湿機能のあるＵＳＢ卓上扇風機。
【請求項３】
前記揺動装置は前記スライドチャンバの中に左右にスライドできるように設置されるスライダを含み、前記スライダの底部の末端にはロールが回転できるように設置されており、前記ロールと前記台座の頂壁に設置される斜面とが当接し、前記スライダの中には左右に貫通したネジ山穴が設置されており、前記ネジ山穴の中には左右に伸びているネジ山ボルトがネジ山によって係合して連結され、前記ネジ山ボルトの右側の末端が前記伝動チャンバの中に伸びており、且つ前記ネジ山ボルトの右側の末端には前記第一傘歯車と噛み合う第四傘歯車が固定的に設置されていることを特徴とする請求項１に記載の加湿機能のあるＵＳＢ卓上扇風機。
【請求項４】
前記加湿装置は前記活塞チャンバの中にスライドできるように設置される活塞を含み、前記活塞チャンバと前記カムチャンバとの間にはスライド穴が連通して設置されており、前記スライド穴の中には前記活塞と固定的に連結されているスライド棒がスライドできるように設置されており、前記スライド棒と前記スライド穴の端壁との間には戻し装置が弾性的に設置されており、前記活塞チャンバと前記貯水チャンバとの間には可撓管が連通して設置されており、前記可撓管の中には逆止弁が設置されていることを特徴とする請求項１に記載の加湿機能のあるＵＳＢ卓上扇風機。
【発明の詳細な説明】
【技術分野】
【０００１】
本発明は家庭用電機分野を取り上げて、具体的には加湿機能のあるＵＳＢ卓上扇風機を取り上げる。
【背景技術】
【０００２】
市場に売られている家庭用卓上扇風機の種類は多く、ところが伝統的な卓上扇風機は暑い天気に特に乾燥地区では温度を下げる効果はあまり良くなく、、そのため加湿機能のある卓上扇風機は実に必要であり、市場にも加湿機能のある卓上扇風機があるものの、結構が複雑で、且つ左右上下に振れる機能がなく、設備の加湿区域は限界があり、長い時間に単一方向に風を吹くと使用者の健康に損害があり、そのため加湿できるだけじゃなく多方向に振れるＵＳＢ卓上扇風機を設計して上記の問題を改善する。
【先行技術文献】
【特許文献】
【０００３】
【特許文献１】中国特許出願公開第１０７５７５４０４号明細書
【発明の概要】
【発明が解決しようとする課題】
【０００４】
本発明の目的は加湿機能のあるＵＳＢ卓上扇風機を提供し、現有の技術の上記欠点を克服でき、設備の実用性を高める。
【課題を解決するための手段】
【０００５】
本発明の加湿機能のあるＵＳＢ卓上扇風機は、扇風機及び前記扇風機の下方に連結設置されている台座を含み、前記扇風機の中には動力チャンバが設置されており、前記動力チャンバの左側端壁の中には左に開口した扇風機チャンバが設置されており、前記動力チャンバの右側端壁の中にはモーターが固定的に設置されており、前記モーターの出力軸のうち左へ伸びている末端には第一歯車が固定的に設置されており、前記動力チャンバの右側端壁の中にはカムチャンバが設置されており、前記カムチャンバの上下端壁の中には活塞チャンバが対称的に設置されており、前記活塞チャンバと前記扇風機チャンバとの間には連通管が連通して設置されており、前記扇風機チャンバの中の前記連通管の末端には噴霧スプレーが固定的に連結されており、前記活塞チャンバの中には加湿装置が設置されており、前記扇風機の右側端壁には右へ伸びている凸ブロックが固定的に設置されており、前記凸ブロックには首振り装置が設置されており、前記台座の中には貯水チャンバが設置されており、前記台座の上方には前記台座とヒンジで連結されるヒンジ連結座が設置されており、前記ヒンジ連結座の中には伝動チャンバが設置されており、前駆伝動チャンバの頂壁の中には前記扇風機の底壁と固定的に連結されている第一回転軸が回転できるように設置されており、前記伝動チャンバの頂壁の中の前記第一回転軸の末端には第一傘歯車が固定的に設置されており、前記ヒンジ連結座の底壁の中には前記伝動チャンバの左側に位置するスライドチャンバが上に開口して設置されており、前記スライドチャンバの中には揺動装置が設置されている。
【０００６】
更なる技術方案、前記首振り装置には前記扇風機チャンバの一側端壁の中に回転できるように設置され且つ前記動力チャンバ及び前記カムチャンバを貫通する第二回転軸が含まれ、前記扇風機の中の前記第二回転軸の末端には羽根が固定的に設置されており、前記動力チャンバの中の前記第二回転軸の外表面には前記第一歯車と噛み合う第二歯車が固定的に設置されており、前記カムチャンバの中の前記第二回転軸の外表面にはカムが固定的に設置されており、前記第二回転軸の右側の末端が前記扇風機を貫通して前記扇風機の外に伸び出ており、且つ前記第二回転軸の右側の末端には第二傘歯車が固定的に設置されており、前記凸ブロックの中には上下に伸びている第三回転軸が設置されており、前記第三回転軸の頂部の末端には前記第二傘歯車と噛み合う第三傘歯車が固定的に設置されており、前記第三回転軸の底部の末端には回転盤が固定的に設置されており、前記ヒンジ連結座の頂壁には位置制限棒が固定的に設置されており、前記位置制限棒の中には上下に貫通した長い穴が設置されており、前記長い穴の中には前記回転盤の底壁と固定的に連結されている位置制限ブロックがスライドできるように設置されている。
【０００７】
更なる技術方案、前記揺動装置は前記スライドチャンバの中に左右にスライドできるように設置されるスライダを含み、前記スライダの底部の末端にはロールが回転できるように設置されており、前記ロールと前記台座の頂壁に設置される斜面とが当接し、前記スライダの中には左右に貫通したネジ山穴が設置されており、前記ネジ山穴の中には左右に伸びているネジ山ボルトがネジ山によって係合して連結され、前記ネジ山ボルトの右側の末端が前記伝動チャンバの中に伸びており、且つ前記ネジ山ボルトの右側の末端には前記第一傘歯車と噛み合う第四傘歯車が固定的に設置されている。
【０００８】
更なる技術方案、前記加湿装置は前記活塞チャンバの中にスライドできるように設置される活塞を含み、前記活塞チャンバと前記カムチャンバとの間にはスライド穴が連通して設置されており、前記スライド穴の中には前記活塞と固定的に連結されているスライド棒がスライドできるように設置されており、前記スライド棒と前記スライド穴の端壁との間には戻し装置が弾性的に設置されており、前記活塞チャンバと前記貯水チャンバとの間には可撓管が連通して設置されており、前記可撓管の中には逆止弁が設置されている。
【発明の効果】
【０００９】
以上の詳しい分析によって、本発明の設備は同一動力源を利用して前記扇風機を回転連動させる同時に前記扇風機を首振りさせ、同時に前記加湿装置を連動させて空気を加湿する同時に上下に振れさせ、設備が生じる風力の範囲を拡大し、同時に設備の加湿効果を更にはっきりさせ、設備は加湿機能と風吹き機能を合わせ、温度を下げる効果を高めるだけではなく、加湿効率を高め、機能性が強く、高い使用と普及する価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の加湿機能のあるＵＳＢ卓上扇風機の全体構成模式図
【図２】図２は図１の右面図
【図３】図３は図１のＡの拡大模式図
【図４】図４は図１のＢの拡大模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１〜４に示されるように、本発明の加湿機能のあるＵＳＢ卓上扇風機は、扇風機１８及び前記扇風機１８の下方に連結設置されている台座１０を含み、前記扇風機１８の中には動力チャンバ２３が設置されており、前記動力チャンバ２３の左側端壁の中には左に開口した扇風機チャンバ２１が設置されており、前記動力チャンバ２３の右側端壁の中にはモーター１９が固定的に設置されており、前記モーター１９の出力軸のうち左へ伸びている末端には第一歯車２５が固定的に設置されており、前記動力チャンバ２３の右側端壁の中にはカムチャンバ３３が設置されており、前記カムチャンバ３３の上下端壁の中には活塞チャンバ２７が対称的に設置されており、前記活塞チャンバ２７と前記扇風機チャンバ２１との間には連通管２６が連通して設置されており、前記扇風機チャンバ２１の中の前記連通管２６の末端には噴霧スプレー２２が固定的に連結されており、前記活塞チャンバ２７の中には加湿装置が設置されており、前記扇風機１８の右側端壁には右へ伸びている凸ブロック３８が固定的に設置されており、前記凸ブロック３８には首振り装置が設置されており、前記台座１０の中には貯水チャンバ４８が設置されており、前記台座１０の上方には前記台座１０とヒンジで連結されるヒンジ連結座１７が設置されており、前記ヒンジ連結座１７の中には伝動チャンバ４６が設置されており、前駆伝動チャンバ４６の頂壁の中には前記扇風機１８の底壁と固定的に連結されている第一回転軸４３が回転できるように設置されており、前記伝動チャンバ４６の頂壁の中の前記第一回転軸４３の末端には第一傘歯車４４が固定的に設置されており、前記ヒンジ連結座１７の底壁の中には前記伝動チャンバ４６の左側に位置するスライドチャンバ１６が上に開口して設置されており、前記スライドチャンバ１６の中には揺動装置が設置されている。
【００１４】
有益なように、前記首振り装置には前記扇風機チャンバ２１の一側端壁の中に回転できるように設置され且つ前記動力チャンバ２３及び前記カムチャンバ３３を貫通する第二回転軸３５が含まれ、前記扇風機２１の中の前記第二回転軸３５の末端には羽根２０が固定的に設置されており、前記動力チャンバ２３の中の前記第二回転軸３５の外表面には前記第一歯車２５と噛み合う第二歯車２４が固定的に設置されており、前記カムチャンバ３３の中の前記第二回転軸３５の外表面にはカム３４が固定的に設置されており、前記第二回転軸３５の右側の末端が前記扇風機１８を貫通して前記扇風機１８の外に伸び出ており、且つ前記第二回転軸３５の右側の末端には第二傘歯車３６が固定的に設置されており、前記凸ブロック３８の中には上下に伸びている第三回転軸３９が設置されており、前記第三回転軸３９の頂部の末端には前記第二傘歯車３６と噛み合う第三傘歯車３７が固定的に設置されており、前記第三回転軸３９の底部の末端には回転盤４０が固定的に設置されており、前記ヒンジ連結座１７の頂壁には位置制限棒４２が固定的に設置されており、前記位置制限棒４２の中には上下に貫通した長い穴４１が設置されており、前記長い穴４１の中には前記回転盤４０の底壁と固定的に連結されている位置制限ブロック４９がスライドできるように設置されている。
【００１５】
有益なように、前記揺動装置は前記スライドチャンバ１６の中に左右にスライドできるように設置されるスライダ１３を含み、前記スライダ１３の底部の末端にはロール１２が回転できるように設置されており、前記ロール１２と前記台座１０の頂壁に設置される斜面１１とが当接し、前記スライダ１３の中には左右に貫通したネジ山穴１５が設置されており、前記ネジ山穴１５の中には左右に伸びているネジ山ボルト１４がネジ山によって係合して連結され、前記ネジ山ボルト１４の右側の末端が前記伝動チャンバ４６の中に伸びており、且つ前記ネジ山ボルト１４の右側の末端には前記第一傘歯車４４と噛み合う第四傘歯車４５が固定的に設置されている。
【００１６】
有益なように、前記加湿装置は前記活塞チャンバ２７の中にスライドできるように設置される活塞２９を含み、前記活塞チャンバ２７と前記カムチャンバ３３との間にはスライド穴３２が連通して設置されており、前記スライド穴３２の中には前記活塞２９と固定的に連結されているスライド棒３０がスライドできるように設置されており、前記スライド棒３０と前記スライド穴３２の端壁との間には戻し装置３１が弾性的に設置されており、前記活塞チャンバ２７と前記貯水チャンバ４７との間には可撓管２８が連通して設置されており、前記可撓管２８の中には逆止弁４８が設置されている。
【００１７】
以下、付図１〜４及び上記の本願発明の多段調節の便利な持ち帰り用の箱の具体的な構造を参考してその使い方を詳しく説明する：
【００１８】
貯水チャンバ４７の中に清水を注ぎ、モーター１９を始動して前記第一歯車２５を回転連動させ、それにより前記第二歯車２４及び第二回転軸３５を回転連動させ、それにより前記カム３４を回転連動させて前記スライド棒３０をスライド連動させ、それにより前記活塞２９を上下に移動連動させ、それにより前記貯水チャンバ４７の中の清水を前記活塞チャンバ２７の中に注ぎ込み、そして前記噴霧スプレー２２によって霧状に噴出させて吹きつけ、同時に前記第二回転軸３５が回転して前記羽根２０を回転連動させて風を吹き、同時に前記羽根２０は前記噴霧スプレー２２に水煙を吹き出させて外部空気を加湿させ、前記第二回転軸３５が回転して前記第二傘歯車３６を連動させ、それにより前記第三傘歯車３７を移動動させ、それにより前記回転盤４０を回転連動させ、それにより前記扇風機１８を連動させて首振りさせ、前記扇風機１８が振れて前記第一傘歯車４４に正反方向への回転を連動させ、それにより前記第四傘歯車４５に正反方向への回転を連動させ、それにより前記ネジ山ボルト１４に正反方向への回転を連動させ、それにより前記スライダ１３を前記斜面１１に沿って左右に移動連動させ、それにより前記ヒンジ連結座１７を上下に揺動連動させ、それにより前記扇風機１８を上下に揺動連動させ、扇風機１８が生じる風力の範囲を拡大し、同時に加湿効果をもっとはっきりさせる。
【００１９】
以上の詳しい分析によって、本発明の設備は同一動力源を利用して前記扇風機を回転連動させる同時に前記扇風機を首振りさせ、同時に前記加湿装置を連動させて空気を加湿する同時に上下に振れさせ、設備が生じる風力の範囲を拡大し、同時に設備の加湿効果を更にはっきりさせ、設備は加湿機能と風吹き機能を合わせ、温度を下げる効果を高めるだけではなく、加湿効率を高め、機能性が強く、高い使用と普及する価値がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020180613.tif 000003
【図２】
2020180613.tif 000004
【図３】
2020180613.tif 000005
【図４】
2020180613.tif 000006
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
正面視で、扇風機及び前記扇風機の下方に連結設置されている台座を含み、前記扇風機の中には動力チャンバが設置されており、前記動力チャンバの左側端壁の中には左に開口した扇風機チャンバが設置されており、前記動力チャンバの右側端壁の中にはモーターが固定的に設置されており、前記モーターの出力軸のうち左へ伸びている末端には第一歯車が固定的に設置されており、前記動力チャンバの右側端壁の中にはカムチャンバが設置されており、前記カムチャンバの上下端壁の中には揚水チャンバが対称的に設置されており、前記揚水チャンバと前記扇風機チャンバとの間には連通管が連通して設置されており、前記扇風機チャンバの中の前記連通管の末端には噴霧スプレーが固定的に連結されており、前記揚水チャンバの中には加湿装置が設置されており、前記扇風機の右側端壁には右へ伸びている凸ブロックが固定的に設置されており、前記凸ブロックには首振り装置が設置されており、前記台座の中には貯水チャンバが設置されており、前記台座の上方には前記台座とヒンジで連結されるヒンジ連結座が設置されており、前記ヒンジ連結座の中には伝動チャンバが設置されており、前駆伝動チャンバの頂壁の中には前記扇風機の底壁と固定的に連結されている第一回転軸が回転できるように設置されており、前記伝動チャンバの頂壁の中の前記第一回転軸の末端には第一傘歯車が固定的に設置されており、前記ヒンジ連結座の底壁の中には前記伝動チャンバの左側に位置するスライドチャンバが上に開口して設置されており、前記スライドチャンバの中には揺動装置が設置されており、
前記首振り装置には前記扇風機チャンバの一側端壁の中に回転できるように設置され且つ前記動力チャンバ及び前記カムチャンバを貫通する第二回転軸が含まれ、前記扇風機の中の前記第二回転軸の末端には羽根が固定的に設置されており、前記動力チャンバの中の前記第二回転軸の外表面には前記第一歯車と噛み合う第二歯車が固定的に設置されており、前記カムチャンバの中の前記第二回転軸の外表面にはカムが固定的に設置されており、前記第二回転軸の右側の末端が前記扇風機を貫通して前記扇風機の外に伸び出ており、且つ前記第二回転軸の右側の末端には第二傘歯車が固定的に設置されており、前記凸ブロックの中には上下に伸びている第三回転軸が設置されており、前記第三回転軸の頂部の末端には前記第二傘歯車と噛み合う第三傘歯車が固定的に設置されており、前記第三回転軸の底部の末端には回転盤が固定的に設置されており、前記ヒンジ連結座の頂壁には位置制限棒が固定的に設置されており、前記位置制限棒の中には上下に貫通した長い穴が設置されており、前記長い穴の中には前記回転盤の底壁と固定的に連結されている位置制限ブロックがスライドできるように設置されており、
前記揺動装置は前記スライドチャンバの中に左右にスライドできるように設置されるスライダを含み、前記スライダの底部の末端にはロールが回転できるように設置されており、前記ロールと前記台座の頂壁に設置される斜面とが当接し、前記スライダの中には左右に貫通したネジ山穴が設置されており、前記ネジ山穴の中には左右に伸びているネジ山ボルトがネジ山によって係合して連結され、前記ネジ山ボルトの右側の末端が前記伝動チャンバの中に伸びており、且つ前記ネジ山ボルトの右側の末端には前記第一傘歯車と噛み合う第四傘歯車が固定的に設置されており、
前記加湿装置は前記揚水チャンバの中にスライドできるように設置される活塞を含み、前記揚水チャンバと前記カムチャンバとの間にはスライド穴が連通して設置されており、前記スライド穴の中には前記活塞と固定的に連結されているスライド棒がスライドできるように設置されており、前記スライド棒と前記スライド穴の端壁との間には戻し装置が弾性的に設置されており、前記揚水チャンバと前記貯水チャンバとの間には可撓管が連通して設置されており、前記可撓管の中には逆止弁が設置されていることを特徴とする加湿機能のあるＵＳＢ卓上扇風機。
【手続補正２】
【補正対象書類名】明細書
【補正対象項目名】全文
【補正方法】変更
【補正の内容】
【発明の詳細な説明】
【技術分野】
【０００１】
本発明は家庭用電機分野を取り上げて、具体的には加湿機能のあるＵＳＢ卓上扇風機を取り上げる。
【背景技術】
【０００２】
市場に売られている家庭用卓上扇風機の種類は多く、ところが伝統的な卓上扇風機は暑い天気に特に乾燥地区では温度を下げる効果はあまり良くなく、、そのため加湿機能のある卓上扇風機は実に必要であり、市場にも加湿機能のある卓上扇風機があるものの、結構が複雑で、且つ左右上下に振れる機能がなく、設備の加湿区域は限界があり、長い時間に単一方向に風を吹くと使用者の健康に損害があり、そのため加湿できるだけじゃなく多方向に振れるＵＳＢ卓上扇風機を設計して上記の問題を改善する。
【先行技術文献】
【特許文献】
【０００３】
【特許文献１】中国特許出願公開第１０７５７５４０４号明細書
【発明の概要】
【発明が解決しようとする課題】
【０００４】
本発明の目的は加湿機能のあるＵＳＢ卓上扇風機を提供し、現有の技術の上記欠点を克服でき、設備の実用性を高める。
【課題を解決するための手段】
【０００５】
本発明の加湿機能のあるＵＳＢ卓上扇風機は、扇風機及び前記扇風機の下方に連結設置されている台座を含み、前記扇風機の中には動力チャンバが設置されており、前記動力チャンバの左側端壁の中には左に開口した扇風機チャンバが設置されており、前記動力チャンバの右側端壁の中にはモーターが固定的に設置されており、前記モーターの出力軸のうち左へ伸びている末端には第一歯車が固定的に設置されており、前記動力チャンバの右側端壁の中にはカムチャンバが設置されており、前記カムチャンバの上下端壁の中には揚水チャンバが対称的に設置されており、前記揚水チャンバと前記扇風機チャンバとの間には連通管が連通して設置されており、前記扇風機チャンバの中の前記連通管の末端には噴霧スプレーが固定的に連結されており、前記揚水チャンバの中には加湿装置が設置されており、前記扇風機の右側端壁には右へ伸びている凸ブロックが固定的に設置されており、前記凸ブロックには首振り装置が設置されており、前記台座の中には貯水チャンバが設置されており、前記台座の上方には前記台座とヒンジで連結されるヒンジ連結座が設置されており、前記ヒンジ連結座の中には伝動チャンバが設置されており、前駆伝動チャンバの頂壁の中には前記扇風機の底壁と固定的に連結されている第一回転軸が回転できるように設置されており、前記伝動チャンバの頂壁の中の前記第一回転軸の末端には第一傘歯車が固定的に設置されており、前記ヒンジ連結座の底壁の中には前記伝動チャンバの左側に位置するスライドチャンバが上に開口して設置されており、前記スライドチャンバの中には揺動装置が設置されている。
【０００６】
更なる技術方案、前記首振り装置には前記扇風機チャンバの一側端壁の中に回転できるように設置され且つ前記動力チャンバ及び前記カムチャンバを貫通する第二回転軸が含まれ、前記扇風機の中の前記第二回転軸の末端には羽根が固定的に設置されており、前記動力チャンバの中の前記第二回転軸の外表面には前記第一歯車と噛み合う第二歯車が固定的に設置されており、前記カムチャンバの中の前記第二回転軸の外表面にはカムが固定的に設置されており、前記第二回転軸の右側の末端が前記扇風機を貫通して前記扇風機の外に伸び出ており、且つ前記第二回転軸の右側の末端には第二傘歯車が固定的に設置されており、前記凸ブロックの中には上下に伸びている第三回転軸が設置されており、前記第三回転軸の頂部の末端には前記第二傘歯車と噛み合う第三傘歯車が固定的に設置されており、前記第三回転軸の底部の末端には回転盤が固定的に設置されており、前記ヒンジ連結座の頂壁には位置制限棒が固定的に設置されており、前記位置制限棒の中には上下に貫通した長い穴が設置されており、前記長い穴の中には前記回転盤の底壁と固定的に連結されている位置制限ブロックがスライドできるように設置されている。
【０００７】
更なる技術方案、前記揺動装置は前記スライドチャンバの中に左右にスライドできるように設置されるスライダを含み、前記スライダの底部の末端にはロールが回転できるように設置されており、前記ロールと前記台座の頂壁に設置される斜面とが当接し、前記スライダの中には左右に貫通したネジ山穴が設置されており、前記ネジ山穴の中には左右に伸びているネジ山ボルトがネジ山によって係合して連結され、前記ネジ山ボルトの右側の末端が前記伝動チャンバの中に伸びており、且つ前記ネジ山ボルトの右側の末端には前記第一傘歯車と噛み合う第四傘歯車が固定的に設置されている。
【０００８】
更なる技術方案、前記加湿装置は前記揚水チャンバの中にスライドできるように設置される活塞を含み、前記揚水チャンバと前記カムチャンバとの間にはスライド穴が連通して設置されており、前記スライド穴の中には前記活塞と固定的に連結されているスライド棒がスライドできるように設置されており、前記スライド棒と前記スライド穴の端壁との間には戻し装置が弾性的に設置されており、前記揚水チャンバと前記貯水チャンバとの間には可撓管が連通して設置されており、前記可撓管の中には逆止弁が設置されている。
【発明の効果】
【０００９】
以上の詳しい分析によって、本発明の設備は同一動力源を利用して前記扇風機を回転連動させる同時に前記扇風機を首振りさせ、同時に前記加湿装置を連動させて空気を加湿する同時に上下に振れさせ、設備が生じる風力の範囲を拡大し、同時に設備の加湿効果を更にはっきりさせ、設備は加湿機能と風吹き機能を合わせ、温度を下げる効果を高めるだけではなく、加湿効率を高め、機能性が強く、高い使用と普及する価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の加湿機能のあるＵＳＢ卓上扇風機の全体構成模式図
【図２】図２は図１の右面図
【図３】図３は図１のＡの拡大模式図
【図４】図４は図１のＢの拡大模式図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１〜４に示されるように、本発明の加湿機能のあるＵＳＢ卓上扇風機は、扇風機１８及び前記扇風機１８の下方に連結設置されている台座１０を含み、前記扇風機１８の中には動力チャンバ２３が設置されており、前記動力チャンバ２３の左側端壁の中には左に開口した扇風機チャンバ２１が設置されており、前記動力チャンバ２３の右側端壁の中にはモーター１９が固定的に設置されており、前記モーター１９の出力軸のうち左へ伸びている末端には第一歯車２５が固定的に設置されており、前記動力チャンバ２３の右側端壁の中にはカムチャンバ３３が設置されており、前記カムチャンバ３３の上下端壁の中には揚水チャンバ２７が対称的に設置されており、前記揚水チャンバ２７と前記扇風機チャンバ２１との間には連通管２６が連通して設置されており、前記扇風機チャンバ２１の中の前記連通管２６の末端には噴霧スプレー２２が固定的に連結されており、前記揚水チャンバ２７の中には加湿装置が設置されており、前記扇風機１８の右側端壁には右へ伸びている凸ブロック３８が固定的に設置されており、前記凸ブロック３８には首振り装置が設置されており、前記台座１０の中には貯水チャンバ４８が設置されており、前記台座１０の上方には前記台座１０とヒンジで連結されるヒンジ連結座１７が設置されており、前記ヒンジ連結座１７の中には伝動チャンバ４６が設置されており、前駆伝動チャンバ４６の頂壁の中には前記扇風機１８の底壁と固定的に連結されている第一回転軸４３が回転できるように設置されており、前記伝動チャンバ４６の頂壁の中の前記第一回転軸４３の末端には第一傘歯車４４が固定的に設置されており、前記ヒンジ連結座１７の底壁の中には前記伝動チャンバ４６の左側に位置するスライドチャンバ１６が上に開口して設置されており、前記スライドチャンバ１６の中には揺動装置が設置されている。
【００１４】
有益なように、前記首振り装置には前記扇風機チャンバ２１の一側端壁の中に回転できるように設置され且つ前記動力チャンバ２３及び前記カムチャンバ３３を貫通する第二回転軸３５が含まれ、前記扇風機２１の中の前記第二回転軸３５の末端には羽根２０が固定的に設置されており、前記動力チャンバ２３の中の前記第二回転軸３５の外表面には前記第一歯車２５と噛み合う第二歯車２４が固定的に設置されており、前記カムチャンバ３３の中の前記第二回転軸３５の外表面にはカム３４が固定的に設置されており、前記第二回転軸３５の右側の末端が前記扇風機１８を貫通して前記扇風機１８の外に伸び出ており、且つ前記第二回転軸３５の右側の末端には第二傘歯車３６が固定的に設置されており、前記凸ブロック３８の中には上下に伸びている第三回転軸３９が設置されており、前記第三回転軸３９の頂部の末端には前記第二傘歯車３６と噛み合う第三傘歯車３７が固定的に設置されており、前記第三回転軸３９の底部の末端には回転盤４０が固定的に設置されており、前記ヒンジ連結座１７の頂壁には位置制限棒４２が固定的に設置されており、前記位置制限棒４２の中には上下に貫通した長い穴４１が設置されており、前記長い穴４１の中には前記回転盤４０の底壁と固定的に連結されている位置制限ブロック４９がスライドできるように設置されている。
【００１５】
有益なように、前記揺動装置は前記スライドチャンバ１６の中に左右にスライドできるように設置されるスライダ１３を含み、前記スライダ１３の底部の末端にはロール１２が回転できるように設置されており、前記ロール１２と前記台座１０の頂壁に設置される斜面１１とが当接し、前記スライダ１３の中には左右に貫通したネジ山穴１５が設置されており、前記ネジ山穴１５の中には左右に伸びているネジ山ボルト１４がネジ山によって係合して連結され、前記ネジ山ボルト１４の右側の末端が前記伝動チャンバ４６の中に伸びており、且つ前記ネジ山ボルト１４の右側の末端には前記第一傘歯車４４と噛み合う第四傘歯車４５が固定的に設置されている。
【００１６】
有益なように、前記加湿装置は前記揚水チャンバ２７の中にスライドできるように設置される活塞２９を含み、前記揚水チャンバ２７と前記カムチャンバ３３との間にはスライド穴３２が連通して設置されており、前記スライド穴３２の中には前記活塞２９と固定的に連結されているスライド棒３０がスライドできるように設置されており、前記スライド棒３０と前記スライド穴３２の端壁との間には戻し装置３１が弾性的に設置されており、前記揚水チャンバ２７と前記貯水チャンバ４７との間には可撓管２８が連通して設置されており、前記可撓管２８の中には逆止弁４８が設置されている。
【００１７】
以下、付図１〜４及び上記の本願発明の多段調節の便利な持ち帰り用の箱の具体的な構造を参考してその使い方を詳しく説明する：
【００１８】
貯水チャンバ４７の中に清水を注ぎ、モーター１９を始動して前記第一歯車２５を回転連動させ、それにより前記第二歯車２４及び第二回転軸３５を回転連動させ、それにより前記カム３４を回転連動させて前記スライド棒３０をスライド連動させ、それにより前記活塞２９を上下に移動連動させ、それにより前記貯水チャンバ４７の中の清水を前記揚水チャンバ２７の中に注ぎ込み、そして前記噴霧スプレー２２によって霧状に噴出させて吹きつけ、同時に前記第二回転軸３５が回転して前記羽根２０を回転連動させて風を吹き、同時に前記羽根２０は前記噴霧スプレー２２に水煙を吹き出させて外部空気を加湿させ、前記第二回転軸３５が回転して前記第二傘歯車３６を連動させ、それにより前記第三傘歯車３７を移動動させ、それにより前記回転盤４０を回転連動させ、それにより前記扇風機１８を連動させて首振りさせ、前記扇風機１８が振れて前記第一傘歯車４４に正反方向への回転を連動させ、それにより前記第四傘歯車４５に正反方向への回転を連動させ、それにより前記ネジ山ボルト１４に正反方向への回転を連動させ、それにより前記スライダ１３を前記斜面１１に沿って左右に移動連動させ、それにより前記ヒンジ連結座１７を上下に揺動連動させ、それにより前記扇風機１８を上下に揺動連動させ、扇風機１８が生じる風力の範囲を拡大し、同時に加湿効果をもっとはっきりさせる。
【００１９】
以上の詳しい分析によって、本発明の設備は同一動力源を利用して前記扇風機を回転連動させる同時に前記扇風機を首振りさせ、同時に前記加湿装置を連動させて空気を加湿する同時に上下に振れさせ、設備が生じる風力の範囲を拡大し、同時に設備の加湿効果を更にはっきりさせ、設備は加湿機能と風吹き機能を合わせ、温度を下げる効果を高めるだけではなく、加湿効率を高め、機能性が強く、高い使用と普及する価値がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。